(57)【要約】【課題】容器体Ｂと、該容器体に固定した固定吸引部C1より上下動可能に作動噴出部C2を突出したポンプＣ等の閉蓋具とからなる容器に装着して、陳列時等の悪戯を防止できるとともに、収納物の未使用を表現できて商品の信頼性を向上し、また、構造も極めて簡単で安価に製造できる封緘体を提案する。【解決手段】容器体Ｂ上に露出する閉蓋具Ｃを覆って口頸部６外周に係合した有頂筒状をなす本体２と、該本体の係合部分外周に巻き回すとともに、一端部を他端部に離脱不能に係止する係止手段を有するバンド３とを備えている。また、バンド上方の本体周壁部35に薄肉の弱化線40を設けて、係合部分上方を除去可能に構成した。【選択図】図１
2005313900.tif 000002
【特許請求の範囲】
【請求項１】
口頸部６に閉蓋具Ｃを嵌着してなる容器体Ｂに装着する封緘体Ａであって、前記容器体Ｂ上に露出する閉蓋具Ｃを覆って前記口頸部外周に係合した有頂筒状をなす本体２と、該本体の前記係合部分外周に巻き回したバンド３とを備え、前記バンドは、一端部を他端部に離脱不能に係止する係止手段を備えてなり、前記バンド上方の本体周壁部35に薄肉の弱化線40を設けて前記係合部分上方を除去可能に構成したことを特徴とする封緘体。
【請求項２】
前記閉蓋具が、前記容器体に固定した固定吸引部C1より上下動可能に作動噴出部C2を突出するとともに、前記作動噴出部を構成する噴出ヘッド８より側方へ突設した筒状ノズル７を周壁部35に穿設した窓37より突出させたポンプＣであり、前記窓の縁部に前記摘み41を設けてなる請求項１記載の封緘体。
【請求項３】
前記窓37を前記周壁部35の下端より上方所定位置まで穿設した切欠窓に構成してなる請求項２記載の封緘体。
【請求項４】
前記係合部分の外周に前記バンド３が嵌合する帯状のバンド嵌合溝38を設けてなる請求項１記載の封緘体。
【発明の詳細な説明】
【技術分野】
【０００１】
本発明は封緘体に関し、詳しくは、ポンプ等の閉蓋具を容器体に嵌着した容器に装着してその未使用を表現する封緘体に関する。
【背景技術】
【０００２】
閉蓋具としてのポンプを装着したポンプ容器として、シリンダや吸い上げパイプ等を備えた固定吸引部と、シリンダ内を摺動するピストンやノズル付きの噴出ヘッドを備えた可動噴出部とからなるポンプを、容器体に装着したものが知られている。これらは、容器体に固定吸引部を固定し、固定吸引部に対する可動噴出部の上下動により容器体内の液を吸い上げてヘッドの噴出口より噴出する如く構成している（例えば、特許文献１参照）。
【０００３】
上記特許文献１のポンプ容器は、シリンダ状のポンプ本体と、該ポンプ本体内に往復移動自在に挿入されるピストンと、該ピストンから上方に延びるステムと、前記ポンプ本体の上端部を閉塞しかつステムが往復移動自在に挿通されるガイド穴を有するアッパキャップと、ステム上端に接続されるエジェクタヘッドと、該エジェクタヘッドに設けたステムを通じてポンプ本体内部に連通する吐出ノズルと、ポンプ本体を容器に装着し保持するコンテナキャップとを備え、アッパキャップの外側面に雄ネジを設けてエジェクタヘッド内周面の雌ネジとネジ嵌合してエジェクタヘッドを押し下げ状態に保持可能としている。
【特許文献１】特開２００３−２３７８１０号公報
【発明の開示】
【発明が解決しようとする課題】
【０００４】
この種のポンプ容器では、上記した如くヘッド押し下げ状態により保持可能であるため、不用意なポンプの作動或いはそれに伴う液の漏出を防止でき、従って、そのままの状態で流通，販売されるケースも多々ある。
【０００５】
しかしながら、陳列時に悪戯によりヘッドを螺脱してしまう等の不都合を生じる虞れはある。そこで、本発明では、これらの悪戯を回避でき、容器の未使用を一見して判断できて商品の信頼性を高め、また、その構造も簡単な封緘体を提案する。
【課題を解決するための手段】
【０００６】
第１の手段として、口頸部６に閉蓋具Ｃを嵌着してなる容器体Ｂに装着する封緘体Ａであって、前記容器体Ｂ上に露出する閉蓋具Ｃを覆って前記口頸部外周に係合した有頂筒状をなす本体２と、該本体の前記係合部分外周に巻き回したバンド３とを備え、前記バンドは、一端部を他端部に離脱不能に係止する係止手段を備えてなり、前記バンド上方の本体周壁部35に薄肉の弱化線40を設けて前記係合部分上方を除去可能に構成した。
【０００７】
第２の手段として、前記第１の手段に於いて、前記閉蓋具が、前記容器体に固定した固定吸引部C1より上下動可能に作動噴出部C2を突出するとともに、前記作動噴出部を構成する噴出ヘッド８より側方へ突設した筒状ノズル７を周壁部35に穿設した窓37より突出させたポンプＣであり、前記窓の縁部に前記摘み41を設けた。
【０００８】
第３の手段として、前記第２の手段に於いて、前記窓37を前記周壁部35の下端より上方所定位置まで穿設した切欠窓に構成した。
【０００９】
第４の手段として、前記１の手段に於いて、前記係合部分の外周に前記バンド３が嵌合する帯状のバンド嵌合溝38を設けた。
【発明の効果】
【００１０】
本発明の封緘体は、弱化線40を切断しない限り閉蓋具Ｃに接触できないため悪戯の防止を図れ、また、容器が未開封であることを明瞭に告知できて商品の信頼性を高めて商品価値を向上させる。また、簡単に装着することができ、開封の際には弱化線40を破断させれば本体２を簡単に取り除くことができる。更に構造は極めて簡単で、合成樹脂により形成することができ、製造も容易で安価に得られる利点もある。
【００１１】
前記閉蓋具Ｃとして、容器体Ｂに固定した固定吸引部C1より上下動可能に作動噴出部C2を突出するとともに、作動噴出部C2を構成する噴出ヘッド８より側方へ突設した筒状ノズル７を周壁部35に穿設した窓37より突出させたポンプＣを採用した場合にも、作動噴出部C2を押し下げて固定吸引部C1に係止させる如く形成しておけば外部よりのノズルの押し下げを防止できて同様に悪戯の防止を図れ、同様に商品価値を高めることができる。また弱化線40は窓37にそれぞれ端部を臨ませているため破断し易く、開封がより容易となる。
【００１２】
また、前記窓37が前記周壁部35の下端より上方所定位置まで穿設した切欠窓である場合には、装着時にポンプＣ上方より装着することができ、より容易な装着が可能となる。
【００１３】
また、前記係合部分の外周に前記バンド３が嵌合する帯状のバンド嵌合溝38を設けてなる場合には、バンド３の巻き回し位置が一定されて係合部分外周を確実に締めつけてより係合部分の強度を大きくすることができ、また、バンド３の装着も極めて容易となる。
【発明を実施するための最良の形態】
【００１４】
以下、本発明の実施例の形態を図面を参照して説明する。
【００１５】
本発明の封緘体Ａは、容器体Ｂの口頸部に閉蓋具Ｃを嵌着してなる容器に装着させたもので、本体２と、バンド３とを備えている。
【００１６】
容器体Ｂは筒状の胴部４より肩部５を介して口頸部６を起立している。口頸部６の基端部は封緘体Ａを係合するための大径部6aに形成している。
【００１７】
開蓋具Ｃとしては、容器体Ｂの口頸部６を閉塞する形態のもので、例えば、通常のキャップ，或いは注出栓，或いはポンプ等が挙げられる。図示例は閉蓋具としてポンプＣを採用した例であり、ポンプＣは、容器体Ｂに固定した固定吸引部C1より上方付勢状態で押し下げ可能に作動噴出部C2を突出したもので、作動噴出部C2の上下動で容器体Ｂ内の液を固定吸引部C1内に吸い上げ、作動噴出部C2より噴出する如く構成したもので、作動噴出部C2は上端に、側方にノズル７を突設した、噴出ヘッド８を備えている。
【００１８】
図示例に於いて固定吸引部C1は、シリンダ９、装着キャップ10、吸い上げパイプ11及び補助キャップ12を備えている。
【００１９】
シリンダ９は上部外周よりフランジ13を突設した筒状をなすとともに、フランジ13を容器体Ｂの口頸部６上面に載置させて下部を容器体Ｂ内へ垂下させている。また、このシリンダ９を口頸部６に嵌合させた装着キャップ10により容器体Ｂに固定している。装着キャップ10は口頸部６外周に嵌合した周壁14の上端縁より延設したフランジ状頂壁15をシリンダ９の上記フランジ13上面に延設し、該フランジ状頂壁15と口頸部６上面との間にフランジ13を挟持する如く構成している。尚、図中16はパッキンを示す。
【００２０】
補助キャップ12は、シリンダ９の上端に嵌着固定したもので、シリンダ９内周に嵌合させた案内筒21の外周より下面をシリンダ９上面に当接させてその外方へ突設した頂板22を延設し、該頂板22裏面より垂設した嵌合筒23をシリンダ９外周上面に凹凸係合手段を介して抜け出し不能に嵌合させ、また、頂板22の外周縁からは上記装着キャップ10のフランジ状頂壁15と所定幅の隙間をあけて外周壁24を垂設している。案内筒21の内周上部には押し下げ状態の作動噴出部C2を係止するための螺条を周設している。更に、シリンダ９内の下端部には吸込み弁25を設けており、その下方には前記吸い上げパイプ11の上端を嵌着し、容器体Ｂ内下部に下端を垂下させている。
【００２１】
作動噴出部C2は、前記した如く固定吸引部C1に対して上方付勢状態で上下動可能に装着したものであり、シリンダ９内周を摺動可能に嵌合させた環状ピストン26をステム27の下部外周に連繋させ、ステム27の上端に前記噴出ヘッド８を嵌着している。前記環状ピストン26はその内周縁をステム27に対して所定幅の上下動が可能に嵌合させており、ステム27の上下動に伴いステム27に穿設した弁口28を開閉する吐出弁29の弁体の役割も兼用している。
【００２２】
噴出ヘッド８は作動噴出部C2の上端部を構成するとともに、側方に前記ノズル７を突設し、また、ステム27内とノズル７とを連結する流路を備えている。具体的には、ステム27上端部に嵌着させた縦筒30を頂壁部31より垂設し、頂壁部31周縁部より周壁部32を垂設している。更に、縦筒30上端に基端を開口し、周壁部32を貫通して前記ノズル７を突設している。作動噴出部C2の上方付勢手段としては種々採用できるが、図示例では作動噴出部C2の下方にコイルスプリング33を介在させている。また、作動噴出部C2はその押し下げ状態で固定吸引部C1に係止可能に構成しており、具体的には噴出ヘッド８の縦筒30外周を上記補助キャップ12の案内筒21内周に螺着可能に構成している。
【００２３】
封緘体Ａは合成樹脂により成形し、その本体２は容器体Ｂ上に露出する閉蓋具Ｃを覆って内周下端部を前記口頸部６外周に係合した有頂筒状をなす。
【００２４】
図示例に於いて本体２は、周壁部35の上端縁より頂壁部36を延設した円筒状をなし、周壁部35の前部下端より上方所定位置まで帯状の窓37を穿設している。窓37はかならずしも下端より延設したものでなくても、ノズル７の挿通が可能で且つ本体２の装着が可能な形状であれば良く、例えば、図示しないが、環状の係合部分直上より上方所定位置まで穿設しても良い。周壁部35の外面下端部には平行する一対の突条により形成されたバンド嵌合溝38を形成しており、該バンド嵌合溝38の内方の周壁部35内面には係合突条39を突設している。また、バンド嵌合溝38直上には薄肉の弱化線40を設けている。そして、ノズル７を窓37より突出した状態で、容器体Ｂ上に露出したポンプＣを被覆し、また、容器体口頸部６の前記大径部6a外周に突設した係止突条42に前記係合突条39を乗り越え係合させて容器体Ｂに本体２を嵌着している。
【００２５】
また、バンド３は、本体２の前記係合部分外周に巻き回したもので、一端部を他端部に離脱不能に係止する係止手段を備えている。図示例に於ける係止手段は、筒状の外壁部分に弾性係止片45を画成した係止部46と、該係止部46内に挿通させるバンド３外面に設けるとともに、長手方向に併設した係合段部ａ及び傾斜面ｂとからなる複数の係止突起47とで構成している。そして、前記バンド嵌合溝38内に巻き回し、一端部を係止部46内に挿通させると、図５に示す如く、弾性係止片45の突部45a が抜け出し方向では外面の係合段部ａと係合し、挿入方向で傾斜面ｂ上を滑る如く構成している。        
【００２６】
上記の如く構成した封緘体Ａをポンプ容器に装着する場合について説明する。例えば、図１に示す如き作動噴出部C2を押し下げ係止した状態のポンプ容器１に、封緘体Ａの窓37にノズル７を挿通しつつ周壁部35の下端を前記大径部6a外周に嵌合させて本体２を嵌着し、次いでバンド３をバンド嵌合溝38内に嵌合しつつその一端を係止部46内に挿通係合して係止する。開封する際には、例えば摘み41を持って周方向へ引っ張れば弱化線40が破断してその上方の本体２を除去することが可能となる。
【００２７】
図６は他の実施形態を示すもので、一対の弱化線を設けた例を示す。図１の例に於いて、摘み41の幅の間隔をあけて、下方の弱化線40と上方の弱化線40a との一対の弱化線を設けている。従って、開封の際には、両弱化線が同時に破断して帯状に周壁部35を切り取ることができるため、開封がさらに容易となる。他の構成は図１の例と同様である。
【図面の簡単な説明】
【００２８】
【図１】本発明封緘体をポンプ容器に装着した状態の半断面図である。（実施例１）
【図２】本発明封緘体をポンプ容器に装着した状態の平面図である。（実施例１）
【図３】本発明封緘体の本体の斜視図である。（実施例１）
【図４】本発明封緘体のバンドの斜視図である。（実施例１）
【図５】本発明封緘体のバンドの説明図である（実施例１）
【図６】本発明封緘体をポンプ容器に装着した状態の半断面図である。（実施例２）
【符号の説明】
【００２９】
２…本体，３…バンド，７…ノズル，８…噴出ヘッド，35…周壁部，37…窓，
38…バンド嵌合溝，40…弱化線，41…摘み，Ａ…封緘体，Ｂ…容器体，Ｃ…ポンプ，    C1…固定吸引部，C2…作動噴出部
【図１】
2005313900.tif 000003
【図２】
2005313900.tif 000004
【図３】
2005313900.tif 000005
【図４】
2005313900.tif 000006
【図５】
2005313900.tif 000007
【図６】
2005313900.tif 000008